(57)【要約】【課題】  制御部及び解除操作部を昇降路の内部に設置しつつも、かごの異常停止を適切に解除することができるエレベータを提供する。【解決手段】  エレベータは、かごを異常停止させる制御部と、異常停止を解除させるために操作される第１解除操作部と、異常停止を解除させるために操作される第２解除操作部と、を備え、制御部は、昇降路の内部に配置され、第１解除操作部は、昇降路の内部に配置され、第２解除操作部は、昇降路の内部で、且つ、上下方向における第１解除操作部との距離がかごの上下方向の寸法よりも大きくなるように、配置される。【選択図】  図４
2019156615.tif 000002
【特許請求の範囲】
【請求項１】
かごを異常停止させる制御部と、
前記異常停止を解除させるために操作される第１解除操作部と、
前記異常停止を解除させるために操作される第２解除操作部と、を備え、
前記制御部は、昇降路の内部に配置され、
前記第１解除操作部は、昇降路の内部に配置され、
前記第２解除操作部は、前記昇降路の内部で、且つ、上下方向における前記第１解除操作部との距離が前記かごの上下方向の寸法よりも大きくなるように、配置される、エレベータ。
【請求項２】
前記第１解除操作部は、最下階の乗場戸の上端部よりも、下方側に配置され、
前記第２解除操作部は、下から２番目の階の乗場戸の上端部と下端部との間に、配置される、請求項１に記載のエレベータ。
【請求項３】
前記第２解除操作部を支持する支持部を備え、
前記支持部は、所定の乗場戸の上端部と下端部との間で、且つ、前記昇降路の内部の前記所定の乗場戸寄りに配置され、
前記第２解除操作部は、前記支持部に対して、上方側から引っ掛けられる引掛部を備える、請求項１又は２に記載のエレベータ。
【発明の詳細な説明】
【技術分野】
【０００１】
本発明は、エレベータに関する。
【背景技術】
【０００２】
従来、例えば、エレベータは、かごの走行を異常停止させる制御部を備えている（例えば、特許文献１）。例えば、何れかの乗場戸が開いた状態でかごが走行しようとした際に、制御部は、かごを異常停止させる。その後、解除操作部が操作されることによって、かごの異常停止が解除される。
【０００３】
ところで、特許文献１に係るエレベータにおいては、制御部及び解除操作部は、昇降路の外部に配置されている。これにより、例えば、制御部及び解除操作部を収容する空間が余計に必要となる。また、例えば、既存のエレベータに対しては、新たに制御部及び解除操作部を設置する空間が必要となるため、制御部及び解除操作部を設置することができない。
【先行技術文献】
【特許文献】
【０００４】
【特許文献１】特開２０１５−５４７８３号公報
【発明の概要】
【発明が解決しようとする課題】
【０００５】
そこで、課題は、制御部及び解除操作部を昇降路の内部に設置しつつも、かごの異常停止を適切に解除することができるエレベータを提供することである。
【課題を解決するための手段】
【０００６】
エレベータは、かごを異常停止させる制御部と、前記異常停止を解除させるために操作される第１解除操作部と、前記異常停止を解除させるために操作される第２解除操作部と、を備え、前記制御部は、昇降路の内部に配置され、前記第１解除操作部は、昇降路の内部に配置され、前記第２解除操作部は、前記昇降路の内部で、且つ、上下方向における前記第１解除操作部との距離が前記かごの上下方向の寸法よりも大きくなるように、配置される。
【０００７】
また、エレベータにおいては、前記第１解除操作部は、最下階の乗場戸の上端部よりも、下方側に配置され、前記第２解除操作部は、下から２番目の階の乗場戸の上端部と下端部との間に、配置される、という構成でもよい。
【０００８】
また、エレベータは、前記第２解除操作部を支持する支持部を備え、前記支持部は、所定の乗場戸の上端部と下端部との間で、且つ、前記昇降路の内部の前記所定の乗場戸寄りに配置され、前記第２解除操作部は、前記支持部に対して、上方側から引っ掛けられる引掛部を備える、という構成でもよい。
【図面の簡単な説明】
【０００９】
【図１】図１は、一実施形態に係るエレベータの側面図である。
【図２】図２は、同実施形態に係るエレベータの制御ブロック図である。
【図３】図３は、同実施形態に係るエレベータの平面図である。
【図４】図４は、同実施形態に係るエレベータの要部側面図である。
【図５】図５は、同実施形態に係る解除操作部の正面図である。
【図６】図６は、同実施形態に係る解除操作部の側面図である。
【図７】図７は、同実施形態に係るかごの異常停止の解除操作を説明する図である。
【図８】図８は、同実施形態に係るかごの異常停止の解除操作を説明する図である。
【発明を実施するための形態】
【００１０】
以下、エレベータにおける一実施形態について、図１〜図８を参照しながら説明する。なお、各図において、図面の寸法比と実際の寸法比とは、必ずしも一致しておらず、また、各図面の間での寸法比も、必ずしも一致していない。
【００１１】
図１に示すように、本実施形態に係るエレベータ１は、ユーザが乗るためのかご１ａと、かご１ａのシーブに巻き掛けられるロープ１ｂと、ロープ１ｂが巻き掛けられるシーブを有する釣合錘１ｃとを備えている。ロープ１ｂの端部は、それぞれ昇降路Ｘ１の上部に固定されている。
【００１２】
エレベータ１は、ロープ１ｂを駆動してかご１ａ及び釣合錘１ｃを上下方向に走行させる駆動部１ｄと、駆動部１ｄを制動させる制動部１ｅと、各構成を制御する制御装置２とを備えている。駆動部１ｄは、ロープ１ｂが巻き掛けられる綱車と、綱車を駆動させる駆動源（モータ）とを備えており、巻上機とも呼ばれる。
【００１３】
エレベータ１は、それぞれの乗場Ｙ１〜Ｙ３に、開閉される乗場戸１ｆと、乗場戸１ｆの開閉状態を検出する乗場戸検出部１ｇと、ユーザが情報を入力する乗場入力部１ｈとを備えている。例えば、乗場戸検出部１ｇは、各種のセンサを採用することができるが、乗場戸１ｆが開放されている状態を検出できる構成であれば、特に限定されない。
【００１４】
なお、図１においては、乗場Ｙ１〜Ｙ３は、最下階の乗場Ｙ１と、下から２番目の乗場Ｙ２と、最上階の乗場Ｙ３のみ図示されている。以下において、最下階の乗場Ｙ１は、第１乗場Ｙ１と呼ばれ、下から２番目の乗場Ｙ２は、第２乗場Ｙ２と呼ばれる。また、本実施形態においては、乗場Ｙ１〜Ｙ３は、三つ以上備えられている、という構成であるが、斯かる構成に限られず、例えば、乗場は、二つ備えられている、という構成でもよい。
【００１５】
かご１ａは、開閉されるかご戸１ｉと、かご戸１ｉの開閉状態を検出するかご戸検出部１ｊと、ユーザが情報を入力するかご入力部１ｋとを備えている。例えば、かご戸検出部１ｊは、各種のセンサを採用することができるが、かご戸１ｉが開放されている状態を検出できる構成であれば、特に限定されない。
【００１６】
また、かご１ａは、かご１ａの動作を検出するかご動作検出部１ｍを備えている。例えば、かご動作検出部１ｍは、各種のセンサを採用することができるが、所定の停止位置から特定の距離（例えば、５００ｍｍ等）だけ走行したことを検出できる構成であれば、特に限定されない。また、かご動作検出部１ｍは、かご１ａの移動量を検出するために、かご１ａに備えられている、という構成だけでなく、例えば、綱車の回転量を検出するために、駆動部１ｄに備えられている、という構成でもよい。
【００１７】
制御装置２は、ＣＰＵ等の電子機器を収容する筐体２ａを備えている。図２に示すように、制御装置２は、かご１ａを走行させたり停止させたりするために、駆動部１ｄ及び制動部１ｅを制御する第１制御部３と、かご１ａを異常停止させるために、駆動部１ｄ及び制動部１ｅを制御する第２制御部４とを備えている。
【００１８】
第１制御部３は、情報を記憶する記憶部３ａと、各入力部１ｈ，１ｋから入力された情報と記憶部３ａで記憶されている情報とに基づいて演算する演算部３ｂとを備えている。また、第１制御部３は、演算部３ｂが演算した情報に基づいて、駆動部１ｄ及び制動部１ｅを制御する走行制御部３ｃを備えている。そして、第１制御部３は、各入力部１ｈ，１ｋに入力された情報に応じて、かご１ａを、所定の乗場Ｙ１〜Ｙ３まで走行させて、停止させる。
【００１９】
第２制御部４は、情報を記憶する記憶部４ａと、各検出部１ｇ，１ｊ，１ｍが検出した情報と記憶部４ａで記憶されている情報とに基づいて演算する演算部４ｂとを備えている。また、第２制御部４は、演算部４ｂが演算した情報に基づいて、駆動部１ｄ及び制動部１ｅを制御する異常停止制御部４ｃを備えている。
【００２０】
複数の乗場戸検出部１ｇ及びかご戸検出部１ｊのうち少なくとも一つの検出部１ｇ，１ｊが、戸１ｆ，１ｉの開放状態を検出し、且つ、かご動作検出部１ｍがかご１ａの動作を検出した際（戸開走行をした際）に、第２制御部４は、かご１ａを異常停止させる。具体的には、第２制御部４は、戸開走行をした際に、駆動部１ｄを停止させ、制動部１ｅを作動させる。第２制御部４は、戸開走行保護装置とも呼ばれる。
【００２１】
本実施形態においては、第１制御部３と第２制御部４とは、それぞれ独立した制御部（制御回路）である、という構成であるが、例えば、一つの制御部が、かご１ａの走行及び停止とかご１ａの異常停止との両方を制御する、という構成でもよい。また、本実施形態においては、第２制御部４は、戸開走行した際にかご１ａを異常停止させる、という構成であるが、例えば、他の状況の際にかご１ａを異常停止させる、という構成でもよい。
【００２２】
第２制御部４は、かご１ａを異常停止させた際に、その異常停止を維持する。そこで、エレベータ１は、異常停止を解除するために操作される第１解除操作部５と、異常停止を解除するために操作される第２解除操作部６とを備えている。
【００２３】
図３及び図４に示すように、制御装置２は、昇降路Ｘ１の内部に配置されている。そして、制御装置２は、昇降路Ｘ１に対して固定されている。本実施形態においては、制御装置２は、昇降路Ｘ１の側壁部Ｘ２に固定されている。なお、制御装置２は、例えば、かご１ａを案内するかごレール１ｒに固定される接続体に、固定されている、という構成でもよい。
【００２４】
また、制御装置２の少なくとも一部は、横方向において、第１乗場Ｙ１の乗場戸１ｆと重なっている。即ち、上下方向における、制御装置２の設置範囲は、上下方向における、第１乗場Ｙ１の乗場戸１ｆの設置範囲と、少なくとも一部で重複している。本実施形態においては、制御装置２の全体は、横方向において、第１乗場Ｙ１の乗場戸１ｆと重なっている。なお、制御装置２の位置は、昇降路Ｘ１の内部であれば、特に限定されない。
【００２５】
第１解除操作部５は、昇降路Ｘ１の内部に配置されている。そして、第１解除操作部５は、昇降路Ｘ１に対して固定されている。本実施形態においては、第１解除操作部５は、昇降路Ｘ１の側壁部Ｘ２に固定されている。なお、第１解除操作部５は、例えば、かごレール１ｒに固定される接続体に、固定されている、という構成でもよい。
【００２６】
また、第１解除操作部５は、第１乗場Ｙ１の乗場戸１ｆの上端部１ｎよりも、下方側に配置されてる。本実施形態においては、第１解除操作部５は、制御装置２の真下に配置されている。
【００２７】
第２解除操作部６は、昇降路Ｘ１の内部に配置されている。そして、エレベータ１は、第２解除操作部６を支持する支持部７を備えており、第２解除操作部６は、支持部７に着脱可能に構成されている。支持部７は、昇降路Ｘ１に対して固定されている。本実施形態においては、支持部７は、昇降路Ｘ１の側壁部Ｘ２に固定されている。なお、支持部７は、例えば、かごレール１ｒに固定される接続体に、固定されている、という構成でもよい。
【００２８】
そして、第２解除操作部６及び支持部７は、横方向において、第２乗場Ｙ２の乗場戸１ｆと重なっている。即ち、第２解除操作部６及び支持部７は、第２乗場Ｙ２の乗場戸１ｆの上端部１ｐと下端部１ｑとの間に配置されている。また、第２解除操作部６及び支持部７は、昇降路Ｘ１の内部のうち、乗場戸１ｆ寄りに配置されている。
【００２９】
ところで、横方向における、各解除操作部５，６とかご１ａとの距離は、例えば、３００ｍｍ以下である。したがって、解除操作部５，６がかご１ａと横方向で重なった場合には、作業者は、その解除操作部５，６で解除操作を行うことはできない。そこで、上下方向における、第１解除操作部５と第２解除操作部６との距離Ｗ１は、かご１ａの上下方向の寸法Ｗ２よりも、大きくなっている。
【００３０】
これにより、かご１ａの停止位置に関わらず、第１解除操作部５と第２解除操作部６とのうち、少なくとも一方は、操作可能となる。例えば、かご１ａが第１解除操作部５と重なる位置で停止した場合には、第２解除操作部６が操作可能であり、また、例えば、かご１ａが第２解除操作部６と重なる位置で停止した場合には、第１解除操作部５が操作可能である。当然、かご１ａの停止位置によっては、第１解除操作部５及び第２解除操作部６の両方が、操作可能な場合もある。
【００３１】
図４及び図５に示すように、エレベータ１は、第２解除操作部６と制御装置２とを電気的に接続するケーブル８と、ケーブル８の一部を収納する収納部９とを備えている。これにより、かご１ａが走行する際に、ケーブル８がかご１ａに引っ掛かることを防止することができる。
【００３２】
収納部９は、箱状に形成されている。そして、収納部９は、上開口部９ａと下開口部９ｂとを備えている。上開口部９ａは、収納部９の上部の全体に設けられており、下開口部９ｂは、収納部９の下部の一部（隅部）に設けられている。なお、ケーブル８は、下開口部９ｂに挿通されている。
【００３３】
収納部９は、支持部７の真下に配置されている。そして、収納部９は、昇降路Ｘ１に対して固定されている。本実施形態においては、収納部９は、昇降路Ｘ１の側壁部Ｘ２に固定されている。なお、収納部９は、例えば、かごレール１ｒに固定される接続体に、固定されている、という構成でもよい。また、収納部９は、支持部７と分離している、という構成だけでなく、一体的に形成されている、という構成でもよい。
【００３４】
図５及び図６に示すように、第２解除操作部６は、操作される操作部６ａと、操作部６ａを収容する収容部６ｂとを備えている。また、第２解除操作部６は、支持部７に着脱可能に支持されるために、支持部７に対して、上方側から引っ掛けられる引掛部６ｃと、作業者に持たれたり握られたりするための取手部６ｄとを備えている。
【００３５】
操作部６ａは、作業者が操作することによって、かご１ａの異常停止を解除できる構成であれば、特に限定されない。例えば、操作部６ａは、作業者が押したり切り替えたりすることで解除できるスイッチでもよい。また、例えば、操作部６ａは、作業者が接続することで解除できる一対のコネクタでもよい。また、例えば、操作部６ａは、作業者が入力装置（例えば、パソコン、コントローラ）を操作することで解除できるように、当該入力装置に接続されるコネクタでもよい。
【００３６】
収容部６ｂは、作業者が操作部６ａを操作できるように、内部を開放可能に構成されている。これにより、操作部６ａが収容部６ｂから露出されることで、操作部６ａが操作可能となり、また、操作部６ａが収容部６ｂに包囲されることで、操作部６ａが誤操作されることを防止できる。
【００３７】
本実施形態においては、収容部６ｂは、互いに回転可能に接続される第１及び第２部材６ｅ，６ｆと、第１及び第２部材６ｅ，６ｆを締結する締結具６ｇとを備えている。そして、締結具６ｇが外され、第１部材６ｅが第２部材６ｆに対して回転されることで、操作部６ａが露出される。なお、操作部６ａは、例えば、収容部６ｂに収容されておらず、常時、露出されている、という構成でもよい。
【００３８】
引掛部６ｃは、収容部６ｂに連結されている。そして、引掛部６ｃが、支持部７の上端部に引っ掛かることで、第２解除操作部６は、支持部７に取り付けられる。これにより、第２解除操作部６は、自身及びケーブル８の重力等によって、支持部７から外れ難い一方で、作業者は、第２解除操作部６を支持部７から容易に取り外すことができる。
【００３９】
本実施形態においては、引掛部６ｃは、板バネである。これにより、第２解除操作部６が支持部７に取り付けられている際には、収容部６ｂ及び引掛部６ｃは、支持部７を挟持している。なお、支持部７は、側壁部Ｘ２に固定される固定部７ａと、側壁部Ｘ２と対面するように配置され、第２解除操作部６が装着される板状の装着部７ｂとを備えており、装着部７ｂは、収容部６ｂ及び引掛部６ｃとに挟持されている。
【００４０】
取手部６ｄは、環状に形成されている。そして、取手部６ｄは、収容部６ｂに連結されている。なお、第２解除操作部６が支持部７に取り付けられている際に、取手部６ｄは、収容部６ｂよりも上方に位置している。これにより、作業者が、取手部６ｄに指や工具等を引っ掛け、第２解除操作部６を引き上げることで、第２解除操作部６は、支持部７から取り外される。したがって、作業者は、第２解除操作部６を支持部７から容易に取り外すことができる。
【００４１】
第１解除操作部５は、作業者が操作することによって、かご１ａの異常停止を解除できる構成であれば、特に限定されない。例えば、図示していないが、第１解除操作部５は、第２解除操作部６と同様に、スイッチ、一対のコネクタ、入力装置に接続されるコネクタ等の操作部を備えている。
【００４２】
また、第１解除操作部５は、昇降路Ｘ１に対して変位可能な構成、例えば、第２解除操作部６と同じ構成でもよく、また、例えば、昇降路Ｘ１に対して固定されている、という構成でもよい。また、第１解除操作部５は、例えば、制御装置２（筐体２ａ）の外部に配置されている、という構成でもよく、また、例えば、制御装置２（筐体２ａ）の内部に配置されている、という構成でもよい。
【００４３】
本実施形態に係るエレベータ１の構成については以上の通りであり、次に、本実施形態に係るかご１ａの異常停止に対する解除操作方法について、図７及び図８を参照しながら説明する。
【００４４】
図７に示すように、かご１ａが第１解除操作部５よりも上方の位置で異常停止した場合は、第１解除操作部５が、操作可能である。そこで、作業者Ｚ１は、第１乗場Ｙ１の乗場戸１ｆから、昇降路Ｘ１の内部に入り、昇降路Ｘ１の底部Ｘ３を利用して、第１解除操作部５を操作することができる。これにより、作業者Ｚ１は、安全に解除操作を行うことができる。
【００４５】
一方で、図８に示すように、かご１ａが、第１解除操作部５と重なる位置で異常停止した場合は、第２解除操作部６が、操作可能である。そこで、作業者Ｚ１は、第２乗場Ｙ２の乗場戸１ｆを開ける。そして、かご１ａが下方側に位置しているため、作業者Ｚ１は、かご１ａの上を利用できる場合は、かご１ａを利用して、第２解除操作部６を操作することができる。これにより、作業者Ｚ１は、安全に解除操作を行うことができる。
【００４６】
また、作業者Ｚ１は、かご１ａの上を利用できない場合は、第２乗場Ｙ２から手を伸ばして、第２解除操作部６を支持部７から取り外す。そして、作業者Ｚ１は、第２乗場Ｙ２で、第２解除操作部６を操作することができる。これにより、作業者Ｚ１は、安全に解除操作を行うことができる。しかも、第２乗場Ｙ２と昇降路Ｘ１の底部Ｘ３との間に、かご１ａが位置しているため、作業者Ｚ１が第２乗場Ｙ２から昇降路Ｘ１の底部Ｘ３まで落下することを防止できる。
【００４７】
なお、作業者Ｚ１が第２乗場Ｙ２から第２解除操作部６を取るために、第２解除操作部６（支持部７）は、乗場戸１ｆの近傍に配置されていることが好ましい。例えば、第２解除操作部６と乗場戸１ｆとの距離は、８００ｍｍ以内であることが好ましく、また、６００ｍｍ以内であることがさらに好ましい。
【００４８】
以上より、本実施形態に係るエレベータ１は、かご１ａを異常停止させる制御部４と、前記異常停止を解除させるために操作される第１解除操作部５と、前記異常停止を解除させるために操作される第２解除操作部６と、を備え、前記制御部４は、昇降路Ｘ１の内部に配置され、前記第１解除操作部５は、昇降路Ｘ１の内部に配置され、前記第２解除操作部６は、前記昇降路Ｘ１の内部で、且つ、上下方向における前記第１解除操作部５との距離Ｗ１が前記かご１ａの上下方向の寸法Ｗ２よりも大きくなるように、配置される。
【００４９】
斯かる構成によれば、上下方向における第１解除操作部５と第２解除操作部６との距離Ｗ１が、かご１ａの上下方向の寸法Ｗ２よりも大きくなっている。これにより、かご１ａの停止位置に関わらず、第１解除操作部５と第２解除操作部６のうち、少なくとも一方が操作可能となる。したがって、制御部４及び解除操作部５，６を昇降路Ｘ１の内部に設置しつつも、かご１ａの異常停止を適切に解除することができる。
【００５０】
また、本実施形態に係るエレベータ１においては、前記第１解除操作部５は、最下階の乗場戸１ｆの上端部１ｎよりも、下方側に配置され、前記第２解除操作部６は、下から２番目の階の乗場戸１ｆの上端部１ｐと下端部１ｑとの間に、配置される、という構成である。
【００５１】
斯かる構成によれば、かご１ａが第１解除操作部５よりも上方の位置で異常停止した場合に、第１解除操作部５が操作可能となる。これにより、作業者Ｚ１は、最下階の乗場戸１ｆから昇降路Ｘ１の内部に入り、昇降路Ｘ１の底部Ｘ３を利用して、第１解除操作部５を操作することができる。これにより、作業者Ｚ１は、安全に解除操作を行うことができる。
【００５２】
一方で、かご１ａが、第１解除操作部５と重なる位置で異常停止した場合に、第２解除操作部６が操作可能となる。これにより、作業者Ｚ１は、下から２番目の階の乗場戸１ｆから、第２解除操作部６を操作する。このとき、第２解除操作部６よりも下方に、異常停止するかご１ａが位置している。これにより、作業者Ｚ１は、安全に解除操作を行うことができる。
【００５３】
また、本実施形態に係るエレベータ１は、前記第２解除操作部６を支持する支持部７を備え、前記支持部７は、所定の乗場戸１ｆの上端部１ｐと下端部１ｑとの間で、且つ、前記昇降路Ｘ１の内部の前記所定の乗場戸１ｆ寄りに配置され、、という構成である。
【００５４】
斯かる構成によれば、引掛部６ｃが、支持部７に対して上方側から引っ掛けられているため、第２解除操作部６は、支持部７に確実に取り付けられる。そして、第２解除操作部６が操作される際には、作業者Ｚ１は、所定の乗場戸１ｆから、第２解除操作部６を上方に引き上げることで、第２解除操作部６を支持部７から容易に取り外すことができる。
【００５５】
なお、エレベータ１は、上記した実施形態の構成に限定されるものではなく、また、上記した作用効果に限定されるものではない。また、エレベータ１は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００５６】
（１）上記実施形態に係るエレベータ１においては、第１解除操作部５は、最下階の乗場戸１ｆの上端部１ｎよりも、下方側に配置され、第２解除操作部６は、下から２番目の階の乗場戸１ｆの上端部１ｐと下端部１ｑとの間に、配置される、という構成である。しかしながら、エレベータ１は、斯かる構成に限られない。例えば、上下方向における、第１解除操作部５と第２解除操作部６との距離Ｗ１が、かご１ａの上下方向の寸法Ｗ２よりも大きくなれば、各解除操作部５，６の位置は、特に限定されない。
【００５７】
（２）また、上記実施形態に係るエレベータ１においては、第２解除操作部６は、支持部７に対して着脱可能であり、昇降路Ｘ１に対して変位可能である、という構成である。しかしながら、エレベータ１は、斯かる構成に限られない。例えば、第２解除操作部６は、昇降路Ｘ１に対して固定されている、という構成でもよい。
【００５８】
（３）また、上記実施形態に係るエレベータ１においては、第２解除操作部６は、引掛部６ｃによって、支持部７に上方側から引っ掛けられる、という構成である。しかしながら、エレベータ１は、斯かる構成に限られない。例えば、第２解除操作部６は、固定具によって、支持部７に着脱可能に対して固定されている、という構成でもよい。
【００５９】
（３）また、上記実施形態に係るエレベータ１においては、第２解除操作部６は、ケーブル８によって、制御装置２と電気的に接続されている、という構成である。しかしながら、エレベータ１は、斯かる構成に限られない。例えば、第２解除操作部６は、無線通信によって、制御装置２と通信可能である、という構成でもよい。
【００６０】
（４）また、エレベータ１は、例えば、解除操作部５，６によって解除操作可能な状態と解除操作不能な状態とに切り替える切替部を備えている、という構成でもよい。斯かる構成によれば、解除操作部５，６による解除の誤操作を防止することができる。
【００６１】
（４−１）例えば、かご１ａが異常停止（具体的には、第２解除操作部６の操作で解除できる異常停止）している際に、切替部は、第２解除操作部６を支持部７から取り外し可能とする一方で、かご１ａが異常停止していない（又は、第２解除操作部６の操作で解除できない異常停止している）際に、切替部は、第２解除操作部６を支持部７から取り外し不能とする、という構成でもよい。
【００６２】
（４−２）また、例えば、かご１ａが異常停止している際に、切替部は、収容部６ｂから操作部６ａを開放可能とする（例えば、締結具６ｇを電気錠とし、締結具６ｇによるロックを解除する）一方で、かご１ａが異常停止していない際に、切替部は、収容部６ｂから操作部６ａを開放不能とする（例えば、締結具６ｇによりロックする）、という構成でもよい。
【００６３】
（５）また、エレベータ１においては、例えば、解除操作部５，６は、かご１ａが異常停止（具体的には、解除操作部５，６の操作で解除できる異常停止）していることを表示する表示部を備えている、という構成でもよい。そして、かご１ａの異常停止を解除した際に、表示部は、解除したことを表示する、という構成でもよく、また、作業者が解除したことを認識できるように、異常停止の表示を消す、という構成でもよい。
【００６４】
（６）また、エレベータ１は、例えば、ケーブル８を巻き取り及び引き出し可能なケーブルリールを備えている、という構成でもよい。斯かる構成によれば、ケーブル８を効果的に収納することができる。
【００６５】
（７）また、エレベータ１においては、第２制御部４、第１解除操作部５及び第２解除操作部６は、昇降路Ｘ１の内部に配置されている。したがって、新設のエレベータ１に対して設置するだけでなく、既設のエレベータ１に対して、昇降路Ｘ１の内部の空き空間に、第２制御部４、第１解除操作部５及び第２解除操作部６を設置することで、上記エレベータ１の構成に、改良することも可能である。
【００６６】
例えば、既設のエレベータを改良するエレベータ改良方法は、既設のエレベータに対して、第２制御部４を昇降路Ｘ１の内部に設置することと、第１解除操作部５を昇降路Ｘ１の内部に設置することと、第２解除操作部６を昇降路Ｘ１の内部に設置することと、を含む。斯かるエレベータ改良方法によれば、空き空間が少なくても、かご１ａの異常停止機能を追加することができる。
【符号の説明】
【００６７】
１…エレベータ、１ａ…かご、１ｂ…ロープ、１ｃ…釣合錘、１ｄ…駆動部、１ｅ…制動部、１ｆ…乗場戸、１ｇ…乗場戸検出部、１ｈ…乗場入力部、１ｉ…かご戸、１ｊ…かご戸検出部、１ｋ…かご入力部、１ｍ…かご動作検出部、１ｎ…上端部、１ｐ…上端部、１ｑ…下端部、１ｒ…かごレール、２…制御装置、２ａ…筐体、３…第１制御部、３ａ…記憶部、３ｂ…演算部、３ｃ…走行制御部、４…第２制御部、４ａ…記憶部、４ｂ…演算部、４ｃ…異常停止制御部、５…第１解除操作部、６…第２解除操作部、６ａ…操作部、６ｂ…収容部、６ｃ…引掛部、６ｄ…取手部、６ｅ…第１部材、６ｆ…第２部材、６ｇ…締結具、７…支持部、７ａ…固定部、７ｂ…装着部、８…ケーブル、９…収納部、９ａ…上開口部、９ｂ…下開口部、Ｘ１…昇降路、Ｘ２…側壁部、Ｘ３…底部、Ｙ１…第１乗場、Ｙ２…第２乗場、Ｙ３…乗場、Ｚ１…作業者
【図１】
2019156615.tif 000003
【図２】
2019156615.tif 000004
【図３】
2019156615.tif 000005
【図４】
2019156615.tif 000006
【図５】
2019156615.tif 000007
【図６】
2019156615.tif 000008
【図７】
2019156615.tif 000009
【図８】
2019156615.tif 000010